(57)【要約】【課題】  補強材をワイヤによって吊下げた状態で仮支持する時に、ワイヤによる連結機能に加えてワイヤから補強材へ向かって段差のない連続した案内面を作る。【解決手段】  吊下げ支持具１の支持具本体５を、頭部７へ向かって先細りとなるコーン状に形成されたテーパ面９と、上下に長いロッド状に形成された補強材３の端面３ａが接合固着される底面１１と、その底面１１に接合固着された補強材３の取付孔１３を貫通し吊下げ用のワイヤ１５を掛け通す締結孔１７とを有する構造とする。【選択図】      図１
2005171563.tif 000002
【特許請求の範囲】
【請求項１】
補強材をその長手方向を上下に吊下げ支持する吊下げ用の吊下げ支持具であって、吊下げ支持具の支持具本体は、頭部へ向かって先細りとなるコーン状に形成されたテーパ面と、上下に長いロッド状に形成された補強材の端面が接合固着される底面と、その底面に接合固着された補強材の取付孔を貫通し吊下げ用のワイヤを掛け通す締結孔とを有していることを特徴とする補強材吊下げ用の吊下げ支持具。
【請求項２】
前記締結孔は、底面から上方となる頭部へ向かって内部を貫通し前記テーパ面の途中に開口する左右一対の貫通孔と、前記頭部を通り前記テーパ面上の貫通孔の開口と開口とをつなぐワイヤ案内溝とで形成されていることを特徴とする請求項１記載の補強材吊下げ用の吊下げ支持具。
【請求項３】
前記支持具本体の頭部は、円弧状に形成されていることを特徴とする請求項１又は２のいずれかに記載の補強材吊下げ用の吊下げ支持具。
【請求項４】
前記ワイヤ案内溝は、上方が開放された断面Ｕ字状の形状となっていることを特徴とする請求項２記載の補強材吊下げ用の吊下げ支持具。
【発明の詳細な説明】
【技術分野】
【０００１】
本発明は、例えば、電柱の内部に補強材を設ける時に、その補強材を一時仮支持するのに適する補強材吊下げ用の吊下げ支持具に関する。
【背景技術】
【０００２】
一般に電柱を補強する時に、その内側内周面に沿って上下に長い補強材が所定の間隔で設けられるようになる。
【０００３】
補強材によって電柱を補強する前段工程において補強材を吊下げる仮支持が必要となる。この時、補強材を一定の間隔で配置するために、各補強材の上方から位置決め用の補強材配置用補助具が挿入される。
【０００４】
補強材配置用補助具は、リング状に形成されたフレームの外周に、補強材が貫通する位置決め用の位置決め金具が一定の間隔で配置された構造となっている。
【０００５】
位置決め金具は、補強材が貫通する開口径を備えているが、限られた電柱内のスペース空間内で使用するため開口径を大きくすることができず、吊下げ用のワイヤから補強材に移る時にその段差面が位置決め金具の開口縁に引かかり円滑な挿入がしにくい面があった。
【０００６】
これは、一定の間隔でリング状に配置された位置決め金具の開口に対して下から各ワイヤを通した後そのワイヤを吊下げ支持した状態で補強材配置用補助具を自重で下降させるところから、位置決め金具の開口がワイヤに接触しながら下降するためと考えられる。
【特許文献１】特願２００３−２９０８５１号明細書
【発明の開示】
【発明が解決しようとする課題】
【０００７】
補強材はワイヤによって吊下げられた仮支持の状態にあるところから、位置決め金具がワイヤに沿って下降し補強材に移る時に、その段差面に引かかる不具合いを有するところから、その段差面をなくすことで、円滑な作業を確保することを目的とする。
【課題を解決するための手段】
【０００８】
前記目的を達成するために、本発明は、 補強材を上下に長く吊下げ支持する吊下げ用の吊下げ支持具であって、吊下げ支持具の支持具本体は、頭部へ向かって先細りとなるコーン状に形成されたテーパ面と、上下に長いロッド状に形成された補強材の端面が接合固着される底面と、その底面に接合固着された補強材の取付孔を貫通し吊下げ用のワイヤを掛け通す締結孔とを有することを特徴とする。
【発明の効果】
【０００９】
本発明によれば、支持具本体によってワイヤから補強材に向かって順次太くなる連続した段差のないテーパ状の案内面を作ることができるため、補強材配置用補助具を円滑に下降させることが可能となり、作業性の向上が図れる。
【００１０】
また、吊下げ用のワイヤは、補強材と支持具本体とを組合させる結合手段として機能し、良り確実な結合状態を確保することができる。
【発明を実施するための最良の形態】
【００１１】
第１には、前記締結孔を、底面から上方となる頭部へ向かって内部を貫通し前記テーパ面の途中に開口する左右一対の貫通孔と、前記頭部を通り前記テーパ面上の貫通孔の開口と開口とをつなぐワイヤ案内溝とで形成し、吊下げ用のワイヤを外部へ大きく露出させることなくワイヤによる支持具本体と補強材の確実な締結状態を確保する。
【００１２】
第２には、前記支持具本体の頭部を、円弧状に形成することで、引かかりなく円滑なワイヤの移動を可能とする。
【００１３】
第３には、前記ワイヤ案内溝を、上方が開放された断面Ｕ字状の形状とすることで、位置ずれをおこすことなく確実にワイヤが位置決めされた状態を確保する。
【実施例１】
【００１４】
以下、図１乃至図５の図面を参照しながらこの発明の実施形態について具体的に説明する。
【００１５】
図１は本発明にかかる吊下げ支持具１によって補強材３を上下に長く吊下げ支持した概要説明図を示している。
【００１６】
吊下げ支持具１は金属製、合成樹脂製いずれでもよいが、この実施形態では合成樹脂の材質で作られている。
【００１７】
吊下げ支持具１の支持具本体５は、円弧状の頭部７へ向かって先細りとなるコーン状に形成されたテーパ面９と、上下に長いロッド状に形成された補強材３の端面３ａが接合固着される底面１１と、その底面１１に接合固着された補強材３の取付孔１３を貫通し吊下げ用のワイヤ１５を掛け通す締結孔１７とを有している。
【００１８】
締結孔１７は、底面１１から上方となる頭部７へ向かって内部を貫通し前記テーパ面９の途中に開口する左右一対の貫通孔１９と、前記頭部７を通り前記テーパ面９上の貫通孔１９の開口と開口とをつなぐ上面が開放された断面Ｕ字状のワイヤ案内溝２１とで形成されている。
【００１９】
なお、支持具本体５は図３の仮想線で示すように中抜き２１とした構造とすることも可能である。
【００２０】
補強材３はこの実施形態ではアラミド繊維を樹脂によって所定の太さ、具体的には支持具本体５の底面１１とほぼ同一の寸法に固められた形状となっている。
【００２１】
補強材３の端部には、軸心を横切る貫通した取付孔１３が設けられている。
【００２２】
取付孔１３は、前後が図面上方の端面３ａに向かって切欠された切欠凹部２３と連続することで、補強材３の端面３ａを支持具本体５の底面１１に接着材によって接合固着した時に、その端面３ａに底面１１の貫通孔１９、１９が露出し、貫通孔１９から取付孔１３へ向かってワイヤ１５を掛け通すことが可能となっている。
【００２３】
このように構成された吊下げ支持具１によれば、支持具本体５の底面１１に補強材３の端面３ａを接着剤によって接着固定する。次に、吊下げ用のワイヤ１５の一端をテーパ面９の途中に開口する一方の貫通孔１９に挿通した後、補強材３の取付孔１３を貫通し底面１１側からもう一方の貫通孔１９を上方へ向けて貫通させる。貫通したワイヤ１５の端部を支持具本体５の頭部７上方においてそのワイヤ１５の途中に平行に重ね合せ、その重ね合せ部を固定金具２５でかしめつけることで固定支持する。
【００２４】
これにより、支持具本体５と補強材３は接着による固着に加えて、ワイヤ１５による結合手段によって良り確実で安定した連結状態が得られる。
【００２５】
一方、ワイヤ１５から補強材３に向かって図１矢印イの如く段差のない連続した案内面が確保される。
【００２６】
したがって、図５に示すように、例えば、電柱を作る電柱円筒型枠２７内に吊下げられた複数の補強材３を補強材配置用補助具３１によって等間隔に位置決めする時に、図１に示すようにワイヤ２９によって支持された補強材配置用補助具３１の位置決め金具３３をワイヤ１５側から自重で下降させることで位置決め金具３３はワイヤ１５、支持具本体５、補強材３の順に円滑に通過し位置決め作業が迅速に完了するようになる。
【図面の簡単な説明】
【００２７】
【図１】この発明にかかる吊下げ支持具によって補強材を吊下げ支持した状態を示す概要切断説明図。
【図２】吊下げ支持具の断面図。
【図３】吊下げ支持具の底面図。
【図４】吊下げ支持具の側面図。
【図５】補強材配置用補助具によって補強材を一定の間隔で位置決めした状態の動作説明図。
【符号の説明】
【００２８】
１…吊下げ支持具
３…補強材
３ａ…端面
５…支持具本体
７…頭部
９…テーパ面
１１…底面
１３…取付孔
１５…ワイヤ
１７…締結孔
１９…貫通孔
２１…ワイヤ案内溝
【図１】
2005171563.tif 000003
【図２】
2005171563.tif 000004
【図３】
2005171563.tif 000005
【図４】
2005171563.tif 000006
【図５】
2005171563.tif 000007